【事件の表示】
　特願２０１５−８９６５１号「遊技機」拒絶査定不服審判事件〔平成２８年１２月８日出願公開、特開２０１６−２０２６９９号〕について、次のとおり審決する。
【結　論】
　本件審判の請求は、成り立たない。
【理　由】
第１　手続の経緯の概要
　本願は、平成２７年４月２４日の出願であって、平成２８年２月２６日付けで拒絶の理由が通知され、同年４月２０日に意見書及び手続補正書が提出されたところ、同年１０月２１日付けで拒絶査定がなされ（発送日：同年１０月２５日）、それに対し、平成２９年１月１９日に拒絶査定不服審判の請求がなされると同時に手続補正書が提出されたものである。
　
第２　平成２９年１月１９日付けの手続補正についての補正却下の決定
　平成２９年１月１９日付けの手続補正（以下「本件補正」という。）を却下する。
　
［理由］
　１　補正の内容
　本件補正により、平成２８年４月２０日付け手続補正書の特許請求の範囲の請求項１における
「複数の図柄が周面に配された複数のリールと、
　遊技者による遊技価値の投入操作を検出する投入操作検出手段と、
　前記投入操作検出手段により、単位遊技に必要な前記遊技価値の投入操作が検出されているときに、遊技者による開始操作を検出する開始操作検出手段と、
　前記開始操作検出手段により前記開始操作が検出されたことに基づいて、当選役を決定する当選役決定手段と、
　前記開始操作検出手段により、前記開始操作が検出されたことに基づいて、前記複数のリールを回転する制御を行うリール回転制御手段と、
　前記複数のリールそれぞれに対応して設けられ、遊技者による停止操作を検出する停止操作検出手段と、
　前記停止操作検出手段により前記停止操作が検出されたことと、前記当選役決定手段により決定された前記当選役に基づいて、前記リール回転制御手段により回転されている前記リールを停止させる停止制御手段と、
　前記停止制御手段により前記複数のリールが全て停止した結果、予め定められた図柄の組み合わせが表示されたか否かを判定する判定手段と、
　前記判定手段により前記予め定められた図柄の組み合わせが表示されたと判定されたことに基づいて、遊技価値を付与する遊技価値付与手段と、
　前記当選役決定手段により所定の当選役が決定された場合に、当該所定の当選役に対応する所定の図柄の組み合わせを表示するための情報が報知される特定状態の制御を行う特定状態制御手段と、
　遊技に係る制御を行うメイン制御手段と、
　演出に係る制御を行うサブ制御手段と、
　前記メイン制御手段により制御が行われ、前記当選役決定手段により決定された当選役に係る情報を表示する表示手段と、
　前記サブ制御手段により制御が行われ、前記演出を実行する際に用いられる演出手段と、
　を備え、
　前記メイン制御手段は、
　少なくとも前記特定状態制御手段により前記特定状態の制御が行われている場合において、前記当選役決定手段により前記所定の当選役が決定された場合には、前記開始操作検出手段により前記開始操作が検出された後であって、前記リール回転制御手段の制御により前記複数のリールが回転を開始する前に、前記所定の当選役に係る情報を前記表示手段に表示する制御を行い、
　前記所定の当選役とは異なる当選役であって、前記単位遊技に必要な前記遊技価値の数を超えない数の遊技価値が前記遊技価値付与手段により付与される特定の当選役が決定された場合には、当該特定の当選役に係る情報を前記表示手段に表示する制御を行わず、
　前記サブ制御手段は、
　前記特定の当選役が決定された場合には、前記演出手段の制御を行うことにより前記演出を実行する制御を行う、
　ことを特徴とする遊技機。」は、
　審判請求時に提出された手続補正書（平成２９年１月１９日付け）における
「Ａ　複数の図柄が周面に配された複数のリールと、
Ｂ　遊技者による遊技価値の投入操作を検出する投入操作検出手段と、
Ｃ　前記投入操作検出手段により、単位遊技に必要な前記遊技価値の投入操作が検出されているときに、遊技者による開始操作を検出する開始操作検出手段と、
Ｄ　前記開始操作検出手段により前記開始操作が検出されたことに基づいて、当選役を決定する当選役決定手段と、
Ｅ　前記開始操作検出手段により、前記開始操作が検出されたことに基づいて、前記複数のリールを回転する制御を行うリール回転制御手段と、
Ｆ　前記複数のリールそれぞれに対応して設けられ、遊技者による停止操作を検出する停止操作検出手段と、
Ｇ　前記停止操作検出手段により前記停止操作が検出されたことと、前記当選役決定手段により決定された前記当選役に基づいて、前記リール回転制御手段により回転されている前記リールを停止させる停止制御手段と、
Ｈ　前記停止制御手段により前記複数のリールが全て停止した結果、予め定められた図柄の組み合わせが表示されたか否かを判定する判定手段と、
Ｉ　前記判定手段により前記予め定められた図柄の組み合わせが表示されたと判定されたことに基づいて、遊技価値を付与する遊技価値付与手段と、
Ｊ　前記当選役決定手段により所定の当選役が決定された場合に、当該所定の当選役に対応する所定の図柄の組み合わせを表示するための情報が報知される特定状態の制御を行う特定状態制御手段と、
Ｋ　遊技に係る制御を行うメイン制御手段と、
Ｌ　演出に係る制御を行うサブ制御手段と、
Ｍ　前記メイン制御手段により制御が行われ、前記当選役決定手段により決定された当選役に係る情報
と、前記遊技価値に係る情報と
可能な
Ｎ　前記サブ制御手段により制御が行われ、前記演出を実行する際に用いられる演出手段と、
　を備え、
Ｏ　前記メイン制御手段は、
Ｏ１　少なくとも前記特定状態制御手段により前記特定状態の制御が行われている場合において、前記当選役決定手段により前記所定の当選役が決定された場合には、前記開始操作検出手段により前記開始操作が検出された後であって、前記リール回転制御手段の制御により前記複数のリールが回転を開始する前に、前記所定の当選役に係る情報を前記表示手段に表示する制御を行い、
前記複数のリールの全てが停止したときに、前記所定の当選役に係る情報を非表示にするとともに、前記判定手段により前記所定の当選役に係る図柄の組み合わせが表示されたと判定されたことに基づいて、前記所定の当選役の前記遊技価値に係る情報を前記表示手段に表示する制御を行い、
Ｏ２　前記所定の当選役とは異なる当選役であって、前記単位遊技に必要な前記遊技価値の数を超えない数の遊技価値が前記遊技価値付与手段により付与される特定の当選役が決定された場合には、当該特定の当選役に係る情報を前記表示手段に表示する制御を行わず、
Ｐ　前記サブ制御手段は、
　前記特定の当選役が決定された場合には、前記演出手段の制御を行うことにより前記演出を実行する制御を行う、
　ことを特徴とする遊技機。」に補正された（下線は、補正箇所を明示するために当審にて付した。また、Ａ〜Ｐは、当審にて分説して付与した。）。
　
　２　補正の目的
　上記補正は、補正前の請求項１に記載した発明を特定するために必要な事項である表示手段について、「前記当選役決定手段により決定された当選役に係る情報を表示する」とあったものを「前記当選役決定手段により決定された当選役に係る情報
と、前記遊技価値に係る情報と
可能な
前記複数のリールの全てが停止したときに、前記所定の当選役に係る情報を非表示にするとともに、前記判定手段により前記所定の当選役に係る図柄の組み合わせが表示されたと判定されたことに基づいて、前記所定の当選役の前記遊技価値に係る情報を前記表示手段に表示する制御を行
　
　そして、本件補正は新規事項を追加するものではない。
　
　３　独立特許要件について
　そこで、本件補正後の特許請求の範囲の請求項１に係る発明は、平成２９年１月１９日付け手続補正書により補正された特許請求の範囲の請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
　
　（１）先願明細書等
　前置報告書で提示された、本願の出願の日前の他の特許出願であって、その出願後に出願公開がされた特願２０１５−２７２３０号（特開２０１６−１５０００８号公報参照。以下「先願」という。）の願書に最初に添付した明細書、特許請求の範囲又は図面（以下「先願明細書等」という。）には、「遊技機」に関して次の事項が図面とともに記載されている。
　・記載事項
　　　ア　「【００２７】
　ＲＷＭ（メインメモリ）６１は、遊技の進行等に基づいた各種データを記憶（更新）可能な記憶媒体である。
　ＲＯＭは、遊技の進行に必要なプログラムや各種データ（たとえば、データテーブル）等を記憶しておく記憶媒体である。
　
メインＣＰＵ６２は、メイン制御基板６０上に設けられ
遊技の進行に必要なプログラムの実行、演算等を行い
　
　　　イ　「【００３４】
　また、
スタートスイッチ４１は、（左、中、右のすべての）リール３１を始動させるときに遊技者が操作するスイッチである
　さらにまた、
ストップスイッチ４２は、３つ（左、中、右）のリール３１に対応して３つ設けられ、対応するリール３１を停止させるときに遊技者が操作するスイッチである
　
　　　ウ　「【００９１】
　説明を図４に戻す。
　メイン制御基板６０には、図柄表示装置３０のモータ３２等が電気的に接続されている。
　図柄表示装置３０は、図柄を表示する（本実施形態では
３つの
リール３１
・・・
【００９３】
　
リール３１
の外周面には複数種類の図柄
を印刷した
　
　　　エ　「【０２９５】
　
第１サブ制御基板８０は、当選役及び遊技状態等に応じて、どのようなタイミングで
画像表示装置２３にどのような画像を表示させるか
決定する
　そして、第１サブ制御基板８０のコマンド制御手段８２ｂは、決定した演出内容に係るコマンドを第２サブ制御基板９０に送信する。」
　
　　　オ　「【０３１７】
　また、スピーカ２２は、遊技中に各種の演出を行うべく、所定の条件を満たしたときに、所定のサウンドを出力するものである。
　さらにまた、
画像表示装置２３は
遊技中に
役の抽選結果に対応する演出等
を表示する
　スロットマシン１０におけるスピーカ２２及び画像表示装置２３の配置は、図１等で説明した通りである。」
　
　　　カ　「【０４２５】
　図３４は、図３２のステップＳ１７９等におけるメダル限界枚数のセット処理（MS_MMAX_SET ）を示すフローチャートである。ステップＳ２０１では、自動ベット時の限界枚数をセットする。なお、自動ベットとは、リプレイ入賞時におけるメダルの自動ベットを指し、当該遊技でベットされた枚数が自動ベット時の限界枚数となる。次のステップＳ２０２では、上述した作動状態フラグをチェックする。
【０４２６】
　そして、次のステップＳ２０３では、メイン制御基板６０は、リプレイ作動時であるか否かを判断する。リプレイ作動時であるときは、本フローチャートによる処理を終了し、オンでないときはステップＳ２０４に進む。ステップＳ２０４では、メダルの限界枚数として２枚をセットする。
【０４２７】
　次にステップＳ２０５に進み、メイン制御基板６０は、当該遊技がメダル限界枚数２枚の遊技時であるか否かを判断する。上述したように、
たとえば通常遊技であるときはメダル限界枚数が２枚でないと判断し、ＭＢゲーム中であるときはメダル限界枚数が２枚であると判断する
【０４２８】
　メダル限界枚数が２枚であるときは、既にステップＳ２０４で２枚をセットしているので本フローチャートによる処理を終了する。一方、
メダル限界枚数が２枚でないと判断したときはステップＳ２０６に進み、メダル限界枚数３枚をセットする
　図３４でセットされるメダル限界枚数は、所定のレジスタ（たとえばＣレジスタ）に記憶する。」
　
　　　キ　「【０４８９】
　次に
ステップＳ２９２に進み、メダル貯留枚数
が、ベット要求枚数
以上であるか否かを判断する
メダル貯留枚数がベット要求枚数以上であると判断したときは
進み
【０４９０】
　ステップＳ２９３では、メダル貯留枚数をセットする。この処理は、貯留枚数をベットする処理である。すなわち、ステップＳ２９２で「Ｎｏ」のときは、貯留枚数がベット枚数に満たない場合であるので、この場合には貯留枚数をベット枚数とする処理を行う。そしてステップＳ２９４に進む。
【０４９１】
　ステップＳ２９４では、貯留ベット時の出力要求をセットする。次にステップＳ２９５に進み、制御コマンドセット１を実行する。
　次のステップＳ２９６では、メダル１枚の加算（ベット）処理を行う（MS_MEDAL_INC：図３２）。次にステップＳ２９７に進み、貯留枚数から１枚を減算する処理を行う（MS_CREDIT_DEC ：後述する図４２）。次のステップＳ２９８では、
メイン制御基板６０は、要求枚数のベットが終了したか否かを判断する
　
　　　ク　「【０７４７】
　＜第５実施形態＞
　図７４は、第５実施形態（及び、後述する第６実施形態を含む。）におけるスロットマシン１０’の制御の概略を示すブロック図であり、第１実施形態の図４に対応する図である。以下、第１実施形態と異なる点を主として説明する。
　
第１実施形態では、サブ制御基板として、第１サブ制御基板８０と第２サブ制御基板９０とを有するが、第５実施形態では、１つのサブ制御基板８０’を備える。
【０７４８】
　また、第５実施形態では、サブ側でＡＴ制御手段を有さず、メイン制御基板６０’側に設けられている（ＡＴ制御手段６２ｇ）。すなわち、第５実施形態では、ＡＴを実行するか否かの決定（抽選等）をメイン側で実行し、ＡＴを実行することに決定したときは、ＡＴ中の制御（遊技回数等）についてもメイン側で実行する。そして、サブ制御基板８０’に対しては、当選役及び報知の有無（ＡＴ中であるか否か）等の情報を送信する。
サブ制御基板８０’は
押し順の報知等を行う
・・・
【０７５１】
　ここで、メイン制御基板６０’側で押し順報知を行う場合には、
メイン制御基板６０’と電気的に接続された
獲得数表示ＬＥＤ７２を用いる
獲得数表示ＬＥＤ７２は、押し順報知ＬＥＤとしても機能する
　なお、図７４において、押し順報知ＬＥＤ７４は、第６実施形態に相当するＬＥＤであり、メイン側で押し順報知を行うとき特有のＬＥＤである（後述）。」
　
　　　ケ　「【０７６８】
　次に、第５実施形態におけるメイン処理について説明する。
　
図７７は、第５実施形態（及び後述する第６実施形態を含む）におけるメインループ（M_MAIN）処理を示すフローチャートであり
　図７７において、ステップＳ１００１では、スタックポインタをセットする。上述と同様に、スタックポインタとは、電断が生じた場合に、電断発生時のデータ（例えば、レジスタ値、割込み処理前のメインループの命令処理等）を保存するＲＷＭ６１の領域を指し、スタックポインタのセットとは、そのＲＷＭ６１の領域において、レジスタ値を初期値にセットする処理である。
　次のステップＳ１００２では、遊技開始セット（MS_GAME_SET ）を行う。ステップＳ１００２に進むと、図２７の処理に移行する。
【０７６９】
　次のステップＳ１００３ではベットメダルの読み込みを行う。この処理は、現時点においてベットされているメダル枚数が何枚であるかを読み込む処理である。
次のステップＳ１００４では、ステップＳ１００３で読み込んだベット枚数に基づき、ベットメダルの有無を判断する
【０７７０】
　ステップＳ１００４でベットメダルありと判断したときはステップＳ１００６に進み、ベットメダルなしと判断したときはステップＳ１００５に進んでメダル投入待ち処理（図３５；MS_STANDBY_DSP）を行い、ステップＳ１００６に進む。
【０７７１】
　ステップＳ１００６では、投入されたメダルの管理処理（MS_MEDAL_CHK；図３６）を行う。次のステップＳ１００７では、ソフト乱数の更新処理を行う。この処理は、役抽選手段６２ｂで使用する乱数を更新（「１」加算）する処理である。
　次の
ステップＳ１００８では、メイン制御基板６０’は、スタートスイッチ４１が操作されたか否かを判断する
スタートスイッチ４１が操作されたと判断したとき
【０７７２】
　
ステップＳ１００９では、役抽選手段６２ｂは、スタートスイッチ４１が操作されたタイミングで
役の抽選を実行する。
　
次のステップＳ１０１０
ＡＲＴ中の複合ベル当選時に正解押し順を報知する場合
【０７７３】
　
ステップＳ１０１０で押し順役に当選したと判断したときはステップＳ１０１１に進み、当選していないと判断したときはステップＳ１０１２に進む
なお、非ＡＲＴ中は、複合ベル等の押し順役に当選したときであってもステップＳ１０１０で「Ｎｏ」となる
　
ステップＳ１０１１では、押し順報知開始時の処理（後述する図７８）を実行する
ステップＳ１０１１の処理は、ＡＲＴ中の正解押し順等を報知する場合の報知開始処理に相当する
　
次にステップＳ１０１２に進み、リール制御手段６２ｃは、リール３１の回転を開始する
【０７７４】
　
ステップＳ１０１３では、メイン制御基板６０’は
ストップスイッチ４２の操作信号を受信したか否かを検知し、操作信号を受信したときは、役の抽選結果とリール３１の位置とに基づいてリール３１の停止位置を決定し、その決定した位置にリール３１を停止させるように制御する
【０７７５】
　次のステップＳ１０１４では、リール制御手段６２ｃは、全リール３１が停止したか否かをチェックし、ステップＳ１０１５に進む。ステップＳ１０１５では、ステップＳ１０１１で押し順を報知した場合において、報知した押し順と、遊技者によって操作された押し順とが一致するか否かを判断する。本実施形態では、ＡＲＴ中等において、ステップＳ１０１１で押し順報知を開始した場合のみ、ステップＳ１０１５で「Ｙｅｓ」と判断される場合があるように設定されている。非ＡＲＴ中であって押し順報知を行っていないときは、ステップＳ１０１５では常に「Ｎｏ」となる。
【０７７６】
　ステップＳ１０１５で押し順が不一致であるときはステップＳ１０１６に進み、押し順が不一致でないと判断したときはステップＳ１０１７に進む。
　ステップＳ１０１６では、押し順の報知内容の変更処理（後述する図７９）を実行する。処理の詳細については後述するが、押し順が不一致である場合において、報知内容を変更することによって遊技者を救済可能であるときは押し順の報知内容を変更し、それ以外の場合には報知内容を消去等するものである。そしてステップＳ１０１７に進む。
　
ステップＳ１０１７では、全リール３１が停止したか否かを判断し、全リール３１が停止したと判断したときはステップＳ１０１８に進み
【０７７７】
　ステップＳ１０１８では、当該遊技で押し順を報知しているとき（ステップＳ１０１１の処理で押し順報知を開始し、かつ、ステップＳ１０１６の処理で、報知した押し順を消去等していないとき）は、押し順報知の終了処理（後述する図８０）を行う。
　次に
ステップＳ１０１９に進み、メイン制御手段６０’は、図柄の表示判定を行う。ここでは、入賞判定手段６２ｄにより、有効ラインに、役に対応する図柄の組合せが停止したか否かを判断する
【０７７８】
　ここで、リール３１の停止は、停止位置決定テーブルに基づき実行されるので、通常は、停止位置決定テーブルで定められた位置以外の位置でリール３１が停止する場合はない。しかし、図柄の表示判定の結果、有効ライン上に、本来表示されてはいけない図柄（蹴飛ばし図柄）が表示されたときは、異常であると判定し、ステップＳ１０２５に進んで上述した復帰不可能エラー（SS_ERROR_STOP ）を実行する。このときのエラー表示は、「Ｅ５」である。
【０７７９】
　ステップＳ１０２０において表示エラーが発生していないと判断し、
ステップＳ１０２１に進むと、役の入賞があったときは、払出し手段６２ｅは、入賞役に対応するメダルの払出しを行う
　次にステップＳ１０２２に進み、メイン制御基板６０’は、遊技終了チェックを行う。この処理は、当選役フラグ（ＲＷＭ６１）のクリア、ウェイトのセット、フリーズを行う場合にフリーズ状態の移行処理、外端信号を送信する場合の外端信号データの生成処理等を実行する処理である。」
　
　　　コ　「【０７９４】
　図８０は、図７７中、ステップＳ１０１８の押し順報知終了処理を示すフローチャートである。ステップＳ１０１８からステップＳ１０５１に進むと、
報知終了処理を実行する。この処理は、
獲得数表示ＬＥＤ７２を消灯させる
・・・
【０８００】
　さらに、ステップＳ１０１８の押し順報知終了処理において、獲得数表示ＬＥＤ７２を消灯するときはＬＥＤ表示要求フラグのＤ２及びＤ３ビットを「０」にし、表示内容を「００」に戻すときはＬＥＤ表示要求フラグのＤ２及びＤ３ビットの「１」を維持する。
　
また、当該遊技で役が入賞し、ステップＳ１０２１においてメダル払出しを実行するときは、獲得数表示ＬＥＤ７２にメダル払出し枚数を表示する
　この場合、ステップＳ１０１６又はステップＳ１０１８の処理において獲得数表示ＬＥＤ７２を消灯しているときは、ステップＳ１０２１においてＬＥＤ表示要求フラグのＤ２及びＤ３ビットを「１」にする。なお、ＡＲＴ中の複合ベル当選時に押し順を報知した場合には、当該遊技でベルが入賞する可能性が高い。したがって、この場合には、ステップＳ１０１８の処理ではＬＥＤ表示要求フラグのＤ２及びＤ３ビットの「１」を維持するようにしてもよい。
　さらにまた、ステップＳ１０２１において払出しがない場合に「００」と表示するときは、ステップＳ１０２１においてＬＥＤ表示要求フラグのＤ２及びＤ３ビットを「１」にしてもよい。」
　
　　　サ　「【０８８０】
　（ｂ）当初発明に係る課題を解決するための手段
　当初発明は、以下の解決手段によって上述の課題を解決する。なお、かっこ書きで、対応する実施形態の構成を示す。
　第１の解決手段（第５及び第６実施形態；図７４）は、
　遊技の進行を制御する
メイン制御手段（メイン制御基板６０’）
　前記メイン制御手段によって制御され、遊技媒体の獲得数を表示する獲得数表示部（獲得数表示ＬＥＤ７２）と、
　遊技者が遊技を進行する上で操作する操作スイッチ（ストップスイッチ４２等）と
　を備え、
　前記メイン制御手段は、抽選手段（役抽選手段６２ｂ）を備え、
　前記抽選手段での抽選結果のうち、前記操作スイッチの操作態様（ストップスイッチ４２の押し順）に応じて、遊技者に有利となる遊技結果を表示する場合と表示しない場合とを有する
特定抽選結果（複合ベル当選、リプレイ重複当選）を有し
　
前記抽選手段で前記特定抽選結果となった遊技で
特定情報（正解押し順、条件装置番号）を報知する遊技（ＡＲＴ）を有し
　
前記メイン制御手段は、前記抽選手段で前記特定抽選結果となった遊技で前記特定情報を報知するときは、前記獲得数表示部に前記特定情報を表示する
　ことを特徴とする。
【０８８１】
　第２の解決手段は、第１の解決手段において、
　前記メイン制御手段から情報を受信し、演出の出力を制御するサブ制御手段（サブ制御基板８０’）を備え、
　前記メイン制御手段は、前記獲得数表示部に前記特定情報を表示するときは、遊技者に有利となる遊技結果を表示するための前記操作スイッチの操作態様に対応する情報を前記サブ制御手段に送信し、
　前記サブ制御手段は、前記操作スイッチの操作態様に対応する情報を受信したときは、
受信した情報に基づいて、前記操作スイッチの操作態様を報知する
　ことを特徴とする。
【０８８２】
　（ｃ）当初発明の効果
　当初発明によれば、特定情報を報知するときに、獲得数表示部を用いて報知するので、新たな部品点数を増加させることなく（コストを高くすることなく）、メイン制御手段側で特定情報を報知することができる。」
　
　・認定事項
　　　シ　先願図面の【０７６８】の「図７７は、第５実施形態（及び後述する第６実施形態を含む）におけるメインループ（M_MAIN）処理を示すフローチャートであり、・・・」との記載、及び、【０７７１】の「次のステップＳ１００８では、メイン制御基板６０’は、スタートスイッチ４１が操作されたか否かを判断する。」との記載から、「メインループ（M_MAIN）処理」は、メイン制御基板６０’により実行されるものである。
　また、先願図面の【０７６９】に「次のステップＳ１００４では、ステップＳ１００３で読み込んだベット枚数に基づき、ベットメダルの有無を判断する。」ことが記載されている。
　したがって、先願明細書には、
メイン制御基板６０’がベットメダルの有無を判断する
　　
　　　ス　まず、先願明細書の【０４２７】の「たとえば通常遊技であるときはメダル限界枚数が２枚でないと判断し、ＭＢゲーム中であるときはメダル限界枚数が２枚であると判断する。」との記載、同【０４２８】の「メダル限界枚数が２枚でないと判断したときはステップＳ２０６に進み、メダル限界枚数３枚をセットする。」との記載から、先願明細書には、メダル限界枚数は、通常遊技であるときは３枚がセットされ、ＭＢゲーム中であるときは２枚がセットされることが記載されている。
　次に、先願明細書の【０７７３】の「ステップＳ１０１０で押し順役に当選したと判断したときはステップＳ１０１１に進み、当選していないと判断したときはステップＳ１０１２に進む。なお、非ＡＲＴ中は、複合ベル等の押し順役に当選したときであってもステップＳ１０１０で「Ｎｏ」となる。ステップＳ１０１１では、押し順報知開始時の処理（後述する図７８）を実行する。」との記載から、先願明細書には、ステップＳ１０１０で押し順役に当選していないと判断された場合は、ステップＳ１０１２に進み、押し順報知開始時の処理を実行しないことが記載されている。
　そして、先願明細書の【０８８０】の「特定抽選結果（複合ベル当選、リプレイ重複当選）を有し、前記抽選手段で前記特定抽選結果となった遊技で、・・・特定情報（正解押し順、条件装置番号）を報知する遊技（ＡＲＴ）を有し」との記載から「中チェリー」は、押し順役（複合ベル、リプレイ重複）ではないことが導かれる。
　また、先願図面の【図１７】には、「中チェリー」に入賞すると払出し枚数が１枚であること、及び、同【図１８】には、「中チェリー」が「複合ベル」とは異なる当選役であることが図示されている。
　したがって、先願明細書等には、
メダル限界枚数は、通常遊技であるときは３枚がセットされ、ＭＢゲーム中であるときは２枚がセットされ、「中チェリー」に当選することにより、メダルが１枚払出され、ステップＳ１０１０で押し順役に当選していないと判断されて、押し順報知開始時の処理を実行しない
　
　・先願発明
　上記ア〜サの記載事項、及び、上記シ〜スの認定事項を総合すると、先願明細書等には、次の発明（以下「先願発明」という。）が記載されているものと認められる（ａ〜ｐは、本件補正発明の構成Ａ〜Ｐに対応させて付与した。）。
「ａ　外周面に複数種類の図柄を印刷した３つのリール３１（【００９１】、【００９３】）と、
ｂ　ベットメダルの有無を判断するメイン制御基板６０’（認定事項シ）と、
ｃ　メダル貯留枚数がベット要求枚数以上であると判断されたとき（ステップＳ２９２）に、左、中、右のすべてのリール３１を始動させるときに遊技者が操作するスイッチである、スタートスイッチ４１が操作されたか否かを判断する（ステップＳ１００８）メイン制御基板６０’（【００３４】、【０４８９】、【０７７１】、【図４１】のＳ２９２）と、
ｄ　ステップＳ１００９でスタートスイッチ４１が操作されたタイミングで役の抽選を実行する役抽選手段６２ｂ（【０７７２】）と、
ｅ　ステップＳ１０１２でリール３１の回転を開始するリール制御手段６２ｃ（【０７７３】）と、
ｆ　３つ（左、中、右）のリール３１に対応して３つ設けられ、対応するリール３１を停止させるときに遊技者が操作するスイッチである、ストップスイッチ４２の操作信号を受信したか否かを検知する（ステップＳ１０１３）メイン制御基板６０’（【００３４】、【０７７４】）と、
ｇ　ストップスイッチ４２の操作信号を受信したときは、役の抽選結果とリール３１の位置とに基づいてリール３１の停止位置を決定し、その決定した位置にリール３１を停止させるように制御するメイン制御基板６０’（【０７７４】）と、
ｈ　入賞判定手段６２ｄにより、有効ラインに役に対応する図柄の組合せが停止したか否かを判断する図柄の表示判定を行う（ステップＳ１０１９）メイン制御手段６０’（【０７７７】）と、
ｉ　役の入賞があったときに入賞役に対応するメダルの払出しを行う（ステップＳ１０２１）払出し手段６２ｅ（【０７７９】）と、
ｊ　ステップＳ１０１０で複合ベル等の押し順役に当選したと判断したときに、ステップＳ１０１１で、ＡＲＴ中の特定情報（正解押し順、条件装置番号）を報知する場合の押し順報知開始時の処理を実行するメイン制御基板６０’（【０７７３】、【０８８０】）と、
ｋ　遊技の進行に必要なプログラムの実行、演算等を行うメイン制御基板６０（【００２７】）と、
ｌ　押し順の報知等を行うサブ制御基板８０’（【０７４８】）と、
ｍ　メイン制御手段により、抽選手段で特定抽選結果となった遊技で特定情報を報知するときに特定情報（正解押し順、条件装置番号）を表示する、獲得数表示ＬＥＤ７２と（【０７５１】、【０８８０】）、
ｎ　サブ制御基板８０’により決定された画像を表示させる画像表示装置２３（【０２９５】、【０７４７】）と
を備え、
ｏ　メイン制御基板６０’は、
　ｏ１　ステップＳ１０１０で複合ベル等の押し順役に当選したと判断したときに、ステップＳ１０１１でＡＲＴ中の特定情報（正解押し順、条件装置番号）を報知する場合の報知開始処理を実行し、ステップＳ１０１２でリール３１の回転を開始し（【０７７３】、【０８００】、【０８８０】）、
　ステップＳ１０１７で全リール３１が停止したか否かを判断し、全リール３１が停止したと判断されたときは、ステップＳ１０１８で、報知終了処理を実行し、獲得数表示ＬＥＤ７２を消灯させ（【０７７６】、【０７９４】）、当該遊技で役が入賞し、ステップＳ１０２１でメダル払出しを実行するときは、獲得数表示ＬＥＤ７２にメダル払出し枚数を表示し（【０８００】）、
　ｏ２　メダル限界枚数は、通常遊技であるときは３枚がセットされ、ＭＢゲーム中であるときは２枚がセットされ、中チェリーに当選することより、メダルが１枚払出され、ステップＳ１０１０で押し順役に当選していないと判断されて、押し順報知開始時の処理を実行せず（認定事項ス）、
　ｐ　サブ制御基板８０’は、画像表示装置２３に遊技中に役の抽選結果に対応する演出等を表示させる（【０２９５】、【０３１７】、【０７４７】）
　遊技機。」
　
　（２）対比
　本件補正発明と先願発明とを、分説に従い対比する。
　　（ａ）先願発明における構成ａの「外周面に複数種類の図柄を印刷した３つのリール３１」は、本件補正発明における構成Ａの「複数の図柄が周面に配された複数のリール」に相当する。
　
　　（ｂ）先願発明における「ベットメダルの有無を判断する」ことは、本件補正発明における「遊技者による遊技価値の投入操作を検出する」ことに相当する。
　したがって、先願発明における構成ｂの「メイン制御基板６０’」は、本件補正発明における構成Ｂの「投入操作検出手段」の機能を有する。
　
　　（ｃ）先願発明における「メダル貯留枚数がベット要求枚数以上であると判断されたとき」は、本件補正発明における「投入操作検出手段により、単位遊技に必要な前記遊技価値の投入操作が検出されているとき」に相当する。
　そして、先願発明における「遊技者が操作するスイッチである、スタートスイッチ４１が操作されたか否かを判断する」ことは、本件補正発明における「遊技者による開始操作を検出する」ことに相当する。
　したがって、先願発明における構成ｃの「メイン制御基板６０’」は、本件補正発明における構成Ｃの「開始操作検出手段」の機能を有する。
　
　　（ｄ）先願発明における「スタートスイッチ４１が操作された」こと、「役の抽選を実行する」ことは、それぞれ、本件補正発明における「開始操作検出手段により開始操作が検出された」こと、「当選役を決定する」ことに相当する。
　したがって、先願発明における構成ｄの「役抽選手段６２ｂ」は、本件補正発明における構成Ｄの「当選役決定手段」に相当する。
　
　　（ｅ）先願発明における「ステップＳ１０１２でリール３１の回転を開始する」ことは、構成ｃの「ステップＳ１００９でスタートスイッチ４１が操作された」ことに基づいて行われることは明らかであるから、本件補正発明における「開始操作検出手段により、開始操作が検出されたことに基づいて、複数のリールを回転する制御を行う」ことに相当する。
　したがって、先願発明における構成ｅの「リール制御手段６２ｃ」は、本件補正発明における構成Ｅの「リール回転制御手段」に相当する。
　
　　（ｆ）先願発明における「３つ（左、中、右）のリール３１に対応して３つ設けられ」ることは、本件補正発明における「複数のリールそれぞれに対応して設けられ」ることに相当する。
　そして、先願発明における「対応するリール３１を停止させるときに遊技者が操作するスイッチである、ストップスイッチ４２の操作信号を受信したか否かを検知する」ことは、本件補正発明における「遊技者による停止操作を検出する」ことに相当する。
　したがって、先願発明における構成ｆの「メイン制御基板６０’」は、本件補正発明における構成Ｆの「停止操作検出手段」の機能を有する。
　
　　（ｇ）上記ｆによれば、先願発明における「ストップスイッチ４２の操作信号を受信したとき」は、本件補正発明における「停止操作検出手段により停止操作が検出されたこと」に相当する。
　そして、先願発明における「役の抽選結果」は、本件補正発明における「当選役決定手段により決定された当選役」に相当する。
　また、先願発明における「役の抽選結果とリール３１の位置とに基づいてリール３１の停止位置を決定し、その決定した位置にリール３１を停止させるように制御する」ことは、本件補正発明における「リール回転制御手段により回転されているリールを停止させる」ことに相当する。
　したがって、先願発明における構成ｇの「メイン制御基板６０’」は、本件補正発明における構成Ｇの「停止制御手段」の機能を有する。
　
　　（ｈ）先願発明における「入賞判定手段６２ｄにより、有効ラインに役に対応する図柄の組合せが停止したか否かを判断する図柄の表示判定を行う」ことは、本件補正発明における「停止制御手段により前記複数のリールが全て停止した結果、予め定められた図柄の組み合わせが表示されたか否かを判定する」ことに相当する。
　したがって、先願発明における構成ｈの「メイン制御基板６０’」は、本件補正発明における構成Ｈの「判定手段」の機能を有する。
　
　　（ｉ）先願発明における「役の入賞があったとき」は、本件補正発明における「判定手段により予め定められた図柄の組み合わせが表示されたと判定された」場合に相当する。
　そして、先願発明における「メダルの払出しを行う」ことは、本件補正発明における「遊技価値を付与する」ことに相当する。
　したがって、先願発明における構成ｉの「払出し手段６２ｅ」は、本件補正発明における構成Ｉの「遊技価値付与手段」に相当する。
　
　　（ｊ）先願発明における「複合ベル等の押し順役」は、構成ｄの「役の抽選を実行する役抽選手段６２ｂ」により決定されるものであるから、本件補正発明における「所定の当選役」に相当する。したがって、先願発明における「複合ベル等の押し順役に当選したと判断したとき」は、本件補正発明における「当選役決定手段により所定の当選役が決定された場合」に相当する。
　そして、先願発明における「特定情報（正解押し順、条件装置番号）」は、「複合ベル等の押し順役」に対応するものであるから、本件補正発明における「所定の当選役に対応する所定の図柄の組み合わせを表示するための情報」に相当する。したがって、先願発明における「ＡＲＴ中の特定情報（正解押し順、条件装置番号）を報知する場合の押し順報知開始時の処理を実行する」ことは、本件補正発明における「所定の当選役に対応する所定の図柄の組み合わせを表示するための情報が報知される特定状態の制御を行う」ことに相当する。
　よって、先願発明における構成ｊの「メイン制御基板６０’」は、本件補正発明における構成Ｊの「特定状態制御手段」としての機能を有する。
　
　　（ｋ）先願発明における構成ｋの「遊技の進行に必要なプログラムの実行、演算等を行うメイン制御基板６０」は、本件補正発明における構成Ｋの「遊技に係る制御を行うメイン制御手段」に相当する。
　
　　（ｌ）先願発明における「押し順の報知等」は、本件補正発明における「演出」に相当することから、先願発明における構成ｌの「押し順の報知等を行うサブ制御基板８０’」は、本件補正発明における構成Ｌの「演出に係る制御を行うサブ制御手段」に相当する。
　
　　（ｍ）先願発明における「メイン制御手段によ（る）」とは、メイン制御手段により制御が行われることを意味する。
　そして、先願発明における「特定情報（正解押し順、条件装置番号）」は、構成ｊより、「複合ベル等の押し順役に当選したと判断したとき」に報知される情報であるから、本件補正発明における「当選役決定手段により決定された当選役に係る情報」に相当する。
　また、先願発明における「獲得数表示ＬＥＤ７２」は、本件補正発明における「遊技価値に係る情報」「を表示可能な表示手段」に相当する。
　したがって、先願発明における構成ｍの「獲得数表示ＬＥＤ７２」は、本件補正発明における構成Ｍの「表示手段」に相当する。
　
　　（ｎ）先願発明における「サブ制御基板８０’により決定された画像を表示させる」ことは、「サブ制御基板８０’」により、決定された画像の表示制御が行われることから、本件補正発明における「サブ制御手段により制御が行われ」ることに相当する。
　そして、先願発明における「画像表示装置２３」に表示される「画像」が演出に関するものを含むことは明らかである。
　したがって、先願発明における構成ｎの「画像表示装置２３」は、本件補正発明における構成Ｎの「演出手段」に相当する。
　
　　（ｏ、ｏ１）上記（ｊ）より、先願発明における「ＡＲＴ中」は、本件補正発明における「少なくとも特定状態制御手段により特定状態の制御が行われている場合」に相当する。
　そして、上記（ｊ）より、先願発明における「複合ベル等の押し順役に当選したと判断したとき」は、本件補正発明における「当選役決定手段により所定の当選役が決定された場合」に相当する。
　また、先願発明において、「特定情報（正解押し順、条件装置番号）」の報知は、構成ｍによると、獲得数表示ＬＥＤ７２に表示されることにより行われることから、先願発明における「獲得数表示ＬＥＤ７２」は、本件補正発明における「所定の当選役に係る情報を」「表示する」「表示手段」に相当する。
　また、先願発明において、役の抽選は、構成ｄによると、「スタートスイッチ４１が操作されたタイミング」で行われることから、「報知開始処理」は、スタートスイッチ４１が操作された後、リール３１の回転を開始する前に実行されるものといえる。
　したがって、先願発明における構成「メイン制御基板６０’は、ステップＳ１０１０で複合ベル等の押し順役に当選したと判断したときに、ステップＳ１０１１でＡＲＴ中の特定情報（正解押し順、条件装置番号）を報知する場合の報知開始処理を実行し、ステップＳ１０１２でリール３１の回転を開始」することは、本件補正発明における「メイン制御手段は、少なくとも特定状態制御手段により特定状態の制御が行われている場合において、当選役決定手段により所定の当選役が決定された場合には、開始操作検出手段により開始操作が検出された後であって、リール回転制御手段の制御により複数のリールが回転を開始する前に、所定の当選役に係る情報を表示手段に表示する制御を行」うことに相当する。
　
　さらに、先願発明における「全リール３１が停止したか否かを判断し、全リール３１が停止したと判断したとき」は、本件補正発明における「複数のリールの全てが停止したとき」に相当する。
　そして、先願発明における「獲得数表示ＬＥＤ７２を消灯させ」ることは、獲得数表示ＬＥＤ７２における特定情報（正解押し順、条件装置番号）の表示を終了させることであるから、本件補正発明における「所定の当選役に係る情報を非表示にする」ことに相当する。
　また、先願発明における「役が入賞」することは、上記（ｉ）より本件補正発明における「判定手段により所定の当選役に係る図柄の組み合わせが表示されたと判定されたこと」に相当することから、刊行物発明における「当該遊技で役が入賞し、ステップＳ１０２１においてメダル払出しを実行するときは、獲得数表示ＬＥＤ７２にメダル払出し枚数を表示」することは、本件補正発明における「判定手段により所定の当選役に係る図柄の組み合わせが表示されたと判定されたことに基づいて、所定の当選役の遊技価値に係る情報を表示手段に表示する制御を行」うことに相当する。
　したがって、先願発明における「ステップＳ１０１７で全リール３１が停止したか否かを判断し、全リール３１が停止したと判断されたときは、ステップＳ１０１８で、報知終了処理を実行し、獲得数表示ＬＥＤ７２を消灯させ、当該遊技で役が入賞し、ステップＳ１０２１でメダル払出しを実行するときは、獲得数表示ＬＥＤ７２にメダル払出し枚数を表示」することは、本件補正発明における「複数のリールの全てが停止したときに、所定の当選役に係る情報を非表示にするとともに、判定手段により所定の当選役に係る図柄の組み合わせが表示されたと判定されたことに基づいて、所定の当選役の遊技価値に係る情報を表示手段に表示する制御を行」うことに相当する。
　
　よって、先願発明における構成ｏ、ｏ１は、本件補正発明における構成Ｏ、Ｏ１に相当する。
　
　　（ｏ、ｏ２）先願発明における「中チェリーに当選することより」、「押し順役に当選していないと判断され」ることは、「中チェリー」が「押し順役」とは異なる役であることを意味するから、先願発明における「中チェリーに当選する」ことは、本件補正発明における「所定の当選役とは異なる特定の当選役」「が決定された場合」に相当する。
　そして、先願発明において、「中チェリーに当選する」と「メダルが１枚払出され」るが、一回の遊技においてベットできるメダル枚数が、遊技状態がＭＢゲーム中であるときは２枚、遊技状態が通常遊技であるときは３枚であるから、一回の遊技においてベットできるメダル枚数を超えるものではない。したがって、先願発明における「メダル限界枚数は、通常遊技であるときは３枚がセットされ、ＭＢゲーム中であるときは２枚がセットされ、中チェリーに当選することより、メダルが１枚払出され」ることは、本件補正発明における「単位遊技に必要な遊技価値の数を超えない数の遊技価値が遊技価値付与手段により付与される」ことに相当する。
　また、先願発明における「押し順報知開始時の処理を実行」しないことは、本件補正発明における「特定の当選役に係る情報を表示手段に表示する制御を行わ」ないことに相当する。
　よって、先願発明における構成ｏ、ｏ２は、本件補正発明における構成Ｏ、Ｏ２に相当する。
　
　　（ｐ）先願発明における「画像表示装置２３に遊技中に役の抽選結果に対応する演出等を表示させる」ことは、本件補正発明における「特定の当選役」「が決定された場合には、演出手段の制御を行うことにより演出を実行する制御を行う」ことを含むものである。
　したがって、先願発明における構成ｐの「サブ制御基板８０’」は、本件補正発明における構成Ｐの「サブ制御手段」に相当する。
　
　　（ｑ）上記（ａ）〜（ｐ）によれば、本件補正発明と先願発明は、
「Ａ　複数の図柄が周面に配された複数のリールと、
Ｂ　遊技者による遊技価値の投入操作を検出する投入操作検出手段と、
Ｃ　前記投入操作検出手段により、単位遊技に必要な前記遊技価値の投入操作が検出されているときに、遊技者による開始操作を検出する開始操作検出手段と、
Ｄ　前記開始操作検出手段により前記開始操作が検出されたことに基づいて、当選役を決定する当選役決定手段と、
Ｅ　前記開始操作検出手段により、前記開始操作が検出されたことに基づいて、前記複数のリールを回転する制御を行うリール回転制御手段と、
Ｆ　前記複数のリールそれぞれに対応して設けられ、遊技者による停止操作を検出する停止操作検出手段と、
Ｇ　前記停止操作検出手段により前記停止操作が検出されたことと、前記当選役決定手段により決定された前記当選役に基づいて、前記リール回転制御手段により回転されている前記リールを停止させる停止制御手段と、
Ｈ　前記停止制御手段により前記複数のリールが全て停止した結果、予め定められた図柄の組み合わせが表示されたか否かを判定する判定手段と、
Ｉ　前記判定手段により前記予め定められた図柄の組み合わせが表示されたと判定されたことに基づいて、遊技価値を付与する遊技価値付与手段と、
Ｊ　前記当選役決定手段により所定の当選役が決定された場合に、当該所定の当選役に対応する所定の図柄の組み合わせを表示するための情報が報知される特定状態の制御を行う特定状態制御手段と、
Ｋ　遊技に係る制御を行うメイン制御手段と、
Ｌ　演出に係る制御を行うサブ制御手段と、
Ｍ　前記メイン制御手段により制御が行われ、前記当選役決定手段により決定された当選役に係る情報
と、前記遊技価値に係る情報と
可能な
Ｎ　前記サブ制御手段により制御が行われ、前記演出を実行する際に用いられる演出手段と、
　を備え、
Ｏ　前記メイン制御手段は、
Ｏ１　少なくとも前記特定状態制御手段により前記特定状態の制御が行われている場合において、前記当選役決定手段により前記所定の当選役が決定された場合には、前記開始操作検出手段により前記開始操作が検出された後であって、前記リール回転制御手段の制御により前記複数のリールが回転を開始する前に、前記所定の当選役に係る情報を前記表示手段に表示する制御を行い、前記複数のリールの全てが停止したときに、前記所定の当選役に係る情報を非表示にするとともに、前記判定手段により前記所定の当選役に係る図柄の組み合わせが表示されたと判定されたことに基づいて、前記所定の当選役の前記遊技価値に係る情報を前記表示手段に表示する制御を行い、
Ｏ２　前記所定の当選役とは異なる当選役であって、前記単位遊技に必要な前記遊技価値の数を超えない数の遊技価値が前記遊技価値付与手段により付与される特定の当選役が決定された場合には、当該特定の当選役に係る情報を前記表示手段に表示する制御を行わず、
Ｐ　前記サブ制御手段は、
　前記特定の当選役が決定された場合には、前記演出手段の制御を行うことにより前記演出を実行する制御を行う
　遊技機。」
　である点で一致し、相違点はない。
　
　（３）まとめ
　上記（１）、（２）より、本件補正発明は、先願発明と同一の発明であり、しかも、本件補正発明の発明者が先願発明の発明者と同一であるとはいえず、また、本願の出願時点において、その出願人が先願発明の出願人と同一であるともいえないので、本願補正発明は特許法第２９条の２の規定により特許出願の際独立して特許を受けることができないものである。
　
　４　まとめ
　よって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の特許請求の範囲の請求項１に係る発明（以下「本願発明」という。）は、平成２８年４月２０日付けの手続補正書により補正された特許請求の範囲の請求項１に記載された事項により特定される、次のとおりのものである（Ａ’〜Ｍ’は、当審にて分説して付与した。）。
「Ａ’複数の図柄が周面に配された複数のリールと、
Ｂ’遊技者による遊技価値の投入操作を検出する投入操作検出手段と、
Ｃ’前記投入操作検出手段により、単位遊技に必要な前記遊技価値の投入操作が検出されているときに、遊技者による開始操作を検出する開始操作検出手段と、
Ｄ’前記開始操作検出手段により前記開始操作が検出されたことに基づいて、当選役を決定する当選役決定手段と、
Ｅ’前記開始操作検出手段により、前記開始操作が検出されたことに基づいて、前記複数のリールを回転する制御を行うリール回転制御手段と、
Ｆ’前記複数のリールそれぞれに対応して設けられ、遊技者による停止操作を検出する停止操作検出手段と、
Ｇ’前記停止操作検出手段により前記停止操作が検出されたことと、前記当選役決定手段により決定された前記当選役に基づいて、前記リール回転制御手段により回転されている前記リールを停止させる停止制御手段と、
Ｈ’前記停止制御手段により前記複数のリールが全て停止した結果、予め定められた図柄の組み合わせが表示されたか否かを判定する判定手段と、
Ｉ’前記判定手段により前記予め定められた図柄の組み合わせが表示されたと判定されたことに基づいて、遊技価値を付与する遊技価値付与手段と、
Ｊ’前記当選役決定手段により所定の当選役が決定された場合に、当該所定の当選役に対応する所定の図柄の組み合わせを表示するための情報が報知される特定状態の制御を行う特定状態制御手段と、
Ｋ’遊技に係る制御を行うメイン制御手段と、
Ｌ’演出に係る制御を行うサブ制御手段と、
Ｍ’前記メイン制御手段により制御が行われ、前記当選役決定手段により決定された当選役に係る情報を表示する表示手段と、
Ｎ’前記サブ制御手段により制御が行われ、前記演出を実行する際に用いられる演出手段と、
　を備え、
Ｏ’前記メイン制御手段は、
Ｏ１’少なくとも前記特定状態制御手段により前記特定状態の制御が行われている場合において、前記当選役決定手段により前記所定の当選役が決定された場合には、前記開始操作検出手段により前記開始操作が検出された後であって、前記リール回転制御手段の制御により前記複数のリールが回転を開始する前に、前記所定の当選役に係る情報を前記表示手段に表示する制御を行い、
Ｏ２’前記所定の当選役とは異なる当選役であって、前記単位遊技に必要な前記遊技価値の数を超えない数の遊技価値が前記遊技価値付与手段により付与される特定の当選役が決定された場合には、当該特定の当選役に係る情報を前記表示手段に表示する制御を行わず、
Ｐ’前記サブ制御手段は、
　前記特定の当選役が決定された場合には、前記演出手段の制御を行うことにより前記演出を実行する制御を行う、
　ことを特徴とする遊技機。」
　
　２　刊行物
　原査定の拒絶の理由で引用された、本願の出願前に頒布された刊行物である特開２０１４−１５０８８１号公報（以下「刊行物１」という。）には、「遊技機」に関して次の事項が図面とともに記載されている。
　
　・記載事項
　　ア　「【特許請求の範囲】
【請求項１】
　それぞれ複数種類の図柄を可変表示する複数の可変表示列を有する表示手段と、前記表示手段の可変表示を開始させるスタートスイッチと、前記各可変表示列それぞれに対応してその可変表示を停止させる複数のストップスイッチとを有する遊技機において、
 ・・・ 
　前記
メイン制御部は、
　それぞれ複数の役から成る特定集合当選が複数あり、それぞれ遊技者に有利になる前記ストップスイッチの操作態様が異なる前記複数ある特定集合当選を含む複数の役抽選結果のいずれかに当選したか否かの抽選を行う役抽選手段と、
　前記
各ストップスイッチの操作に基づき、前記表示手段により可変表示されている前記各図柄を当該役抽選結果に対応した表示態様で停止させる停止制御手段
・・・
を備え
遊技機
　
　　イ　「【００１７】
　そして、この正面板９には横長矩形の表示窓１１が設けられている。また、表示窓１１の内側には、複数種類の図柄を予め定められた順序で可変表示する左・中・右リール１３Ｌ，１３Ｍ，１３Ｒ（本発明の「表示手段」に相当）が配置されている。図２に示すように、左・中・右リール１３Ｌ，１３Ｍ，１３Ｒには、例えば「７」「ＢＡＲ」「Ｂｅｌｌ」「Ｃｈｅｒｒｙ」「Ｒ１」「Ｒ２」を含む複数種類の図柄が合計２１個、所定の配列でそれぞれ設けられている（なお、図２では、説明を容易なものとするため、この実施形態の説明に必要なリールの図柄のみを図示している）。また、各図柄には、０番から２０番までのコマ番号が順に付されている。そして、例えば、
コマ番号０番から２０番までの図柄が印刷されたリールテープがリールの周面に貼り付けられて各リール１３Ｌ，１３Ｍ，１３Ｒがそれぞれ形成される
　
　　ウ　「【００３５】
　（１）遊技制御手段１００
　
遊技制御手段１００は、予め設定された複数の遊技状態のうちのいずれかの遊技状態においてスロットマシン１の遊技を制御し
【００３６】
　ａ）操作態様判定手段１００ａ
　
操作態様判定手段１００ａは
スタートスイッチ１９
各ストップスイッチ２１Ｌ，２１Ｍ，２１Ｒ
に対する遊技者による操作の態様
を判定する
　
　　エ　「【００４０】
　次に、スロットマシン１において実行される遊技の概略について説明する。
【００４１】
　この実施形態では、スロットマシン１は、３枚のメダルにより遊技が行われるように構成されており、投入センサ５３、ベットスイッチ１５または最大ベットスイッチ１７により３枚のメダルのスロットマシン１への投入を検出すると、表示窓１１の中央（中段）の水平な入賞ライン（センターライン）が有効となる。そして、規定数である３枚のメダルの投入を条件に
スタートスイッチ１９が操作されたことを検出すると、
予め設定された役抽選結果のいずれかが役抽選手段１０３により決定される
左・中・右リール１３Ｌ，１３Ｍ，１３Ｒの全ての回転を開始させ
【００４２】
　その後、左・中・右リール１３Ｌ，１３Ｍ，１３Ｒが加速されて、すべてのストップスイッチ２１Ｌ，２１Ｍ，２１Ｒの操作が有効となる。すべてのストップスイッチ２１Ｌ，２１Ｍ，２１Ｒの操作が有効となった後、左ストップスイッチ２１Ｌが操作されたことを検出すると左リールを停止させ、中ストップスイッチ２１Ｍが操作されたことを検出すると中リール１３Ｍを停止させ、右ストップスイッチ２１Ｒが操作されたことを検出すると右リール１３Ｒを停止させる。このように、
各ストップスイッチ２１Ｌ，２１Ｍ，２１Ｒの操作により、各ストップスイッチ２１Ｌ，２１Ｍ，２１Ｒに対応する左・中・右リール１３Ｌ，１３Ｍ，１３Ｒの回転が停止する
【００４３】
　そして、３個すべての左・中・右ストップスイッチ２１Ｌ，２１Ｍ，２１Ｒを操作し終えると、３個すべての左・中・右リール１３Ｌ，１３Ｍ，１３Ｒの回転が停止する。このとき、
所定の図柄が、有効となった表示窓１１の中段の入賞ライン上の所定の位置に停止すると、入賞となる。そして、入賞態様に応じた枚数のメダルが、クレジットされるか、または払出口３９から払い出される
【００４４】
　図５に示すように、この実施形態では、役として、特別役（ボーナス：ＢＢ，ＲＢ）、小役（中段ベル、一枚役１〜１２、中段チェリー）、再遊技役（リプレイ１〜８）が予め設定されている。本実施の形態では、
役抽選結果として
当選役グループ
・・・
【００５３】
　また、
この実施形態では、当選役グループ「左ベル」「中ベル」「右ベル」それぞれには、遊技者に有利になるストップスイッチ２１Ｌ，２１Ｍ，２１Ｒの操作態様（押し順）が予め設定されている
　
　　オ　「【００６０】
　なお、小役当選は、役抽選結果が小役当選となった遊技で小役の入賞態様の図柄配列を引き当てられないと、次回の遊技には持ち越されない。また、
リプレイ当選の場合には、どのようなタイミングで各ストップスイッチ２１Ｌ，２１Ｍ，２１Ｒが操作されても、「リプレイ１」〜「リプレイ８」のいずれかに係る図柄が必ず入賞ライン上に揃うように左・中・右リール１３Ｌ，１３Ｍ，１３Ｒに図柄が配置されているため、必ず再遊技役に入賞する。また、当選役グループ「左ベル」「中ベル」「右ベル」のいずれかに当選の場合には
各ストップスイッチ２１Ｌ，２１Ｍ，２１Ｒがどのようなタイミングで操作されても、各操作態様に対応付けされた入賞に係る図柄（図５参照）が入賞ライン上に揃うように各リール１３Ｌ，１３Ｍ，１３Ｒが停止制御手段１０８により停止制御される
　
　　カ　「【０１０５】
　（サブ制御基板）
　次に、サブ制御基板７３について詳細に説明する。
サブ制御基板７３は、
メイン制御基板６３の動作や状態に応じた演出を行うものである
【０１０６】
　（１３）サブ制御コマンド受信手段１１３
　サブ制御コマンド受信手段１１３は、メイン制御基板６３のサブ制御コマンド送信手段１１２により送信された種々のデータを含むコマンドを所定の情報として受信するものである。サブ制御コマンド受信手段１１３は、メイン制御基板６３から送信されるコマンドを受信し、コマンドを受信すれば、コマンドの種類に応じてサブ制御基板７３が備える各機能に通知を行う。
【０１０７】
　（１４）演出内容決定手段１１４
　
演出内容決定手段１１４は、サブ制御コマンド受信手段１１３により受信されたコマンドに応じて
遊技の進行や、役抽選手段１０３の役抽選結果などに対応して予め設定された演出パターンから、液晶表示器２７に表示される動画を決定し
・・・
【０１１２】
　（１５）表示制御手段１１５
　
表示制御手段１１５は、
液晶表示器２７に動画（画像）を表示し
　
　　キ　「【０１１４】
　（動作）
　次に、図７〜図１１を参照して、この実施形態における動作の一例について説明する。なお、
この実施形態では、ＡＴ期間中に（ＡＴ期間中フラグがＯＮ）、「ベルグループ」（「左ベル」「中ベル」「右ベル」のいずれか）に当選した場合に、当選した当選役グループに対応し遊技者に有利となる各ストップスイッチ２１Ｌ，２１Ｍ，２１Ｒの操作順序を報知する演出が実行される
・・・
【０１１６】
　また、図７の
メイン処理
はメイン制御基板６３において実行される処理であり
【０１１７】
　１．メイン処理
　図７を参照してメイン処理について説明する。
図７はメイン処理を示すフローチャートである
【０１１８】
　スロットマシン１の電源がオンされれば、メイン制御基板６３が備えるＲＡＭ６５の状態がチェックされ、メモリにエラーが生じていないかどうかが判定されて、各種の初期設定が行われる。
【０１１９】
　次に、各メモリのチェックが終了し、異常が無ければ通常遊技状態へ移行して、
規定数（３枚）のメダルが投入されたかどうかが判定され（ステップＳ１）
規定数のメダルが投入されれば（ステップＳ１でＹＥＳ）
スタートスイッチ１９が操作されれば（ステップＳ２でＹＥＳ）、後述する役抽選手段１０３による抽選処理が実行される（ステップＳ３）
【０１２０】
　そして、各リール１３Ｌ，１３Ｍ，１３Ｒの回転が開始され（ステップＳ４）、回転中の各リール１３Ｌ，１３Ｍ，１３Ｒそれぞれに対応する各ストップスイッチ２１Ｌ，２１Ｍ，２１Ｒのいずれかが操作されるまで待機し（ステップＳ５でＮＯ）、各ストップスイッチ２１Ｌ，２１Ｍ，２１Ｒのいずれかが操作されれば（ステップＳ５でＹＥＳ）、停止制御手段１０８によるリール回転の停止制御により、操作されたストップスイッチに対応するリールの回転が停止される（ステップＳ６）。
【０１２１】
　そして、全てのリール１３Ｌ，１３Ｍ，１３Ｒの回転が停止されるまでステップＳ５、ステップＳ６の処理を繰返して実行し（ステップＳ７でＮＯ）、全てのリール１３Ｌ，１３Ｍ，１３Ｒが停止されれば（ステップＳ７でＹＥＳ）、
図柄判定手段１０９により図柄の判定が行われる（ステップＳ８）
【０１２２】
　続いて、後述する報知決定処理が実行され（ステップＳ９）、
必要に応じて払出制御手段１１０によりメダル払出処理が実行される
・・・
【０１２５】
　次に、
サブ制御基板７３に役抽選手段１０３による役抽選結果に関する情報を送信するためのコマンドがコマンド作成手段１０６により作成される（ステップＳ１２１）
　そして、
コマンド作成手段１０６により作成されたコマンドが、サブ制御送信手段１１２によりサブ制御基板７３に対して送信されて（ステップＳ１２２）
・・・
【０１３３】
　５．報知処理
　図１１を参照して報知処理について説明する。図１１は報知処理を示すフローチャートである。
【０１３４】
　図１１に示す報知処理は、サブ制御基板７３において実行される処理であり、まず、
メイン制御基板６３から送信されたコマンドがサブ制御コマンド受信手段１１３により受信され（ステップＳ１５０）
決定された報知（演出）が表示制御手段１１５または音声制御手段１１６により実行されて処理が終了する（ステップＳ１５２）
　
　　ク　「【０１７７】
　また、上記した実施形態では、サブ制御部による演出のみによって有利な操作態様を報知しているが、操作すべきストップスイッチに対応したリールから回転を始めるなど、サブ制御部による演出と同時にメイン制御部による演出を行い、有利な操作態様を報知しても良い。また、
メイン制御部に接続される三桁の７セグメント表示器を設け、それぞれ左ストップスイッチ２１Ｌ，中ストップスイッチ２１Ｍ，右ストップスイッチ２１Ｒを操作する順番を報知するなど、特別の表示器を設けて報知を行っても良い
　
　・認定事項
　　ケ　刊行物１の【００４３】の「所定の図柄が、有効となった表示窓１１の中段の入賞ライン上の所定の位置に停止すると、入賞となる。そして、入賞態様に応じた枚数のメダルが、クレジットされるか、または払出口３９から払い出される」との記載から、刊行物１には、所定の図柄が、有効となった入賞ライン上の所定の位置に停止して入賞すると、入賞態様に応じた枚数のメダルが払出口３９から払い出されることが記載記載されている。
　また、刊行物１の【０１２２】には、「必要に応じて払出制御手段１１０によりメダル払出処理が実行される」ことが記載されている。
　したがって、刊行物１には、「
所定の図柄が、有効となった入賞ライン上の所定の位置に停止して入賞すると、入賞態様に応じた枚数のメダルが払出口３９から払い出されるメダル払出処理を実行する払出制御手段１１０
　
　　コ　刊行物１の【００６０】の「当選役グループ「左ベル」「中ベル」「右ベル」のいずれかに当選の場合には、」との記載から、刊行物１には、「左ベル」「中ベル」「右ベル」が当選役グループであることが記載されている。
　そして、同【００６１】の「ＡＴ遊技では、「左ベル」「中ベル」「右ベル」のいずれかに当選したときに、当選役グループ（特定集合当選）の種類に応じた操作態様（いずれのストップスイッチを最初に操作するべきか）が遊技者に対して報知される」との記載、及び、同【０１７７】の「メイン制御部に接続される三桁の７セグメント表示器を設け、それぞれ左ストップスイッチ２１Ｌ，中ストップスイッチ２１Ｍ，右ストップスイッチ２１Ｒを操作する順番を報知するなど、特別の表示器を設けて報知を行っても良い。」との記載から、刊行物１には、「
当選役グループ「左ベル」「中ベル」「右ベル」のいずれかに当選したときに、当選役グループの種類に応じた操作態様（それぞれ左ストップスイッチ２１Ｌ，中ストップスイッチ２１Ｍ，右ストップスイッチ２１Ｒを操作する順番）を報知するＡＴ遊技を実行するメイン制御部
　
　さらに、同【０１１９】の「スタートスイッチ１９が操作されれば（ステップＳ２でＹＥＳ）、後述する役抽選手段１０３による抽選処理が実行される（ステップＳ３）。」との記載、同【０１２５】の「サブ制御基板７３に役抽選手段１０３による役抽選結果に関する情報を送信するためのコマンドがコマンド作成手段１０６により作成される（ステップＳ１２１）。・・・コマンド作成手段１０６により作成されたコマンドが、サブ制御送信手段１１２によりサブ制御基板７３に対して送信されて（ステップＳ１２２）・・・」との記載、及び、同【０１３４】の「・・・メイン制御基板６３から送信されたコマンドがサブ制御コマンド受信手段１１３により受信され（ステップＳ１５０）・・・決定された報知（演出）が表示制御手段１１５または音声制御手段１１６により実行されて処理が終了する（ステップＳ１５２）。」との記載から、刊行物１には、スタートスイッチ１９が操作された後に、報知が行われることが記載されていると認められる。
　これらのことから、刊行物１には、「
メイン制御部は、ＡＴ遊技において、スタートスイッチ１９が操作された後であって、当選役グループ（「左ベル」「中ベル」「右ベル」）のいずれかに当選したときに、当選役グループの種類に応じた操作態様（それぞれ左ストップスイッチ２１Ｌ，中ストップスイッチ２１Ｍ，右ストップスイッチ２１Ｒを操作する順番）を、三桁の７セグメント表示器に報知する
　
　　サ　刊行物１の【０１１９】の「・・・規定数（３枚）のメダルが投入された・・・規定数のメダルが投入されれば・・・」との記載、及び、同【図５】の「中段チェリー」が入賞することにより２枚の払出がなされるとの図示内容から、刊行物１には、規定数（３枚）のメダルが投入され、入賞により２枚の払出がなされる「中段チェリー」について示されている。
　そして、刊行物１の【００５３】の「この実施形態では、当選役グループ「左ベル」「中ベル」「右ベル」それぞれには、遊技者に有利になるストップスイッチ２１Ｌ，２１Ｍ，２１Ｒの操作態様（押し順）が予め設定されている。」との記載から、「中段チェリー」は、押し順役グループではないことが導かれる。
　また、刊行物１の【０１１４】には、「この実施形態では、ＡＴ期間中に（ＡＴ期間中フラグがＯＮ）、「ベルグループ」（「左ベル」「中ベル」「右ベル」のいずれか）に当選した場合に、当選した当選役グループに対応し遊技者に有利となる各ストップスイッチ２１Ｌ，２１Ｍ，２１Ｒの操作順序を報知する演出が実行される」ことが記載されている。この記載によると、ＡＴ期間中に「ベルグループ」以外は、操作順序を報知する演出が実行されないことが導かれる。
　これらのことから、刊行物１には、「
規定数（３枚）のメダルが投入され、入賞により２枚の払出がなされる「中段チェリー」であって、当選役グループではないため、ＡＴ期間中に当選しても操作順序を報知する演出が実行されない
　
　・刊行物発明
　上記ア〜クの記載事項、及び、上記ケ〜サの認定事項から、刊行物１には次の発明が記載されているものと認められる（以下「刊行物発明」という。ａ’〜ｍ’は、本願発明の構成Ａ’〜Ｍ’に対応させて付与した。）。
「ａ’コマ番号０番から２０番までの図柄が印刷されたリールテープがリールの周面に貼り付けられてそれぞれ形成された各リール１３Ｌ，１３Ｍ，１３Ｒ（【００１７】）と、
ｂ’メイン処理において、規定数（３枚）のメダルが投入されたかどうかを判定する（ステップＳ１）メイン制御基板６３と（【０１１６】、【０１１７】、【０１１９】）、
ｃ’規定数のメダルが投入された（ステップＳ１でＹＥＳ）後、スタートスイッチ１９が操作された（ステップＳ２）ことを判定する操作態様判定手段１００ａ（【００３６】、【０１１９】）を備え、
ｄ’スタートスイッチ１９が操作されたことを検出すると、予め設定された役抽選結果のいずれかが決定される役抽選手段１０３と（【００４１】）、
ｅ’スタートスイッチ１９が操作されたことを検出すると、左・中・右リール１３Ｌ，１３Ｍ，１３Ｒの全ての回転を開始させ（【００４１】）、
ｆ’各ストップスイッチ２１Ｌ，２１Ｍ，２１Ｒに対する遊技者による操作の態様を判定する操作態様判定手段１００ａ（【００３６】、【００４２】）を備え、
ｇ’各ストップスイッチ２１Ｌ，２１Ｍ，２１Ｒの操作により、各ストップスイッチ２１Ｌ，２１Ｍ，２１Ｒに対応する左・中・右リール１３Ｌ，１３Ｍ，１３Ｒの回転を停止させ（【００４２】）、
ｈ’図柄の判定を行う（ステップＳ８）図柄判定手段１０９（【０１２１】）と、
ｉ’所定の図柄が、有効となった入賞ライン上の所定の位置に停止して入賞すると、入賞態様に応じた枚数のメダルが払出口３９から払い出されるメダル払出処理を実行する払出制御手段１１０（認定事項ケ）と
を備え、
ｊ’当選役グループ「左ベル」「中ベル」「右ベル」のいずれかに当選したときに、当選役グループの種類に応じた操作態様（それぞれ左ストップスイッチ２１Ｌ，中ストップスイッチ２１Ｍ，右ストップスイッチ２１Ｒを操作する順番）を報知するＡＴ遊技を実行するメイン制御部（認定事項コ１）と、
ｋ’予め設定された複数の遊技状態のうちのいずれかの遊技状態においてスロットマシン１の遊技を制御する遊技制御手段１００（【００３５】）と、
ｌ’メイン制御基板６３の動作や状態に応じた演出を行うサブ制御基板７３（【０１０５】）と、
ｍ’メイン制御部に接続され、それぞれ左ストップスイッチ２１Ｌ，中ストップスイッチ２１Ｍ，右ストップスイッチ２１Ｒを操作する順番を報知する三桁の７セグメント表示器（【０１７７】）と、
ｎ’サブ制御基板７３が具備する表示制御手段１１５により、動画（画像）を表示する液晶表示器２７（【０１０５】、【０１１２】）とを備え、
ｏ’、ｏ１’メイン制御部は、ＡＴ遊技において、スタートスイッチ１９が操作された後であって、当選役グループ（「左ベル」「中ベル」「右ベル」）のいずれかに当選したときに、当選役グループの種類に応じた操作態様（それぞれ左ストップスイッチ２１Ｌ，中ストップスイッチ２１Ｍ，右ストップスイッチ２１Ｒを操作する順番）を、三桁の７セグメント表示器に報知し（認定事項コ２）、
ｏ’、ｏ２’規定数（３枚）のメダルが投入され、入賞により２枚の払出がなされる「中段チェリー」であって、当選役グループではないため、ＡＴ期間中に当選しても操作順序を報知する演出が実行されず（認定事項サ）、
ｐ’演出内容決定手段１１４は、サブ制御コマンド受信手段１１３により受信されたコマンドに応じて遊技の進行や、役抽選手段１０３の役抽選結果などに対応して予め設定された演出パターンから、液晶表示器２７に表示される動画を決定する（【０１０７】）
遊技機。」
　
　３　対比
　本願発明と刊行物発明とを、分説に従い対比する。
　　（ａ’）刊行物発明における「コマ番号０番から２０番までの図柄が印刷されたリールテープがリールの周面に貼り付けられてそれぞれ形成された各リール１３Ｌ，１３Ｍ，１３Ｒ」は、本願発明における「複数の図柄が周面に配された複数のリール」に相当する。
　
　　（ｂ’）刊行物発明における「規定数（３枚）のメダルが投入されたかどうかを判定する」ことは、本願発明における「遊技者による遊技価値の投入操作を検出する」ことに相当する。
　したがって、刊行物発明における構成ｂ’の「メイン制御基板６３」は、本願発明における構成Ｂ’の「投入操作検出手段」の機能を有する。
　
　　（ｃ’）刊行物発明における「規定数のメダルが投入された後」は、本願発明における「投入操作検出手段により、単位遊技に必要な前記遊技価値の投入操作が検出されている」ことに相当する。
　そして、刊行物発明における「スタートスイッチ１９が操作されたことを判定する」ことは、本願発明における「遊技者による開始操作を検出する」ことに相当する。
　したがって、刊行物発明における構成ｃ’の「操作態様判定手段１００ａ」は、本願発明における構成Ｃ’の「開始操作検出手段」の機能を有する。
　
　　（ｄ’）刊行物発明における「スタートスイッチ１９が操作されたことを検出すると、予め設定された役抽選結果のいずれかが決定される役抽選手段１０３」は、本願発明における「開始操作検出手段により開始操作が検出されたことに基づいて、当選役を決定する当選役決定手段」に相当する。
　
　　（ｅ’）刊行物発明における「スタートスイッチ１９が操作されたことを検出すると、左・中・右リール１３Ｌ，１３Ｍ，１３Ｒの全ての回転を開始させ」ることは、本願発明における「開始操作検出手段により、開始操作が検出されたことに基づいて、複数のリールを回転する制御を行う」ことに相当する。
　したがって、刊行物発明は、本願発明における構成Ｅ’の「リール回転制御手段」の機能を有するものである。
　
　　（ｆ’）刊行物発明における「各ストップスイッチ２１Ｌ，２１Ｍ，２１Ｒ」は、構成ｆ’によると、「左・中・右リール１３Ｌ，１３Ｍ，１３Ｒ」に対応するものであることから、本願発明における「複数のリールそれぞれに対応して設けられ」ることに相当する。
　そして、刊行物発明における「各ストップスイッチ２１Ｌ，２１Ｍ，２１Ｒに対する遊技者による操作の態様を判定する」ことは、それぞれ、本願発明における「遊技者による停止操作を検出する」ことに相当する。
　したがって、刊行物発明における構成ｆ’の「操作態様判定手段１００ａ」は、本願発明における構成Ｆ’の「停止操作検出手段」に相当する。
　
　　（ｇ’）刊行物発明における「各ストップスイッチ２１Ｌ，２１Ｍ，２１Ｒの操作により、各ストップスイッチ２１Ｌ，２１Ｍ，２１Ｒに対応する左・中・右リール１３Ｌ，１３Ｍ，１３Ｒの回転を停止させ」ることは、各リールの回転停止制御が各ストップスイッチの操作以外にも、役抽選結果に基づいて行われることは当業者に自明であるから、本願発明における「停止操作検出手段により停止操作が検出されたことと、当選役決定手段により決定された当選役に基づいて、リール回転制御手段により回転されているリールを停止させる」ことに相当する。
　したがって、刊行物発明の「遊技機」は、本願発明における構成Ｇ’の「停止制御手段」の機能を有するものである。
　
　　（ｈ’）刊行物発明における「図柄の判定」は、「左・中・右リール１３Ｌ，１３Ｍ，１３Ｒの回転」が停止した後に行われるものである。
　したがって、刊行物発明における「図柄判定手段１０９」は、本願発明における「停止制御手段により複数のリールが全て停止した結果、予め定められた図柄の組み合わせが表示されたか否かを判定する判定手段」に相当する。
　
　　（ｉ’）刊行物発明における「所定の図柄が、有効となった入賞ライン上の所定の位置に停止して入賞する」ことは、本願発明における「判定手段により前記予め定められた図柄の組み合わせが表示されたと判定された」ことに相当する。
　そして、刊行物発明における「入賞態様に応じた枚数のメダルが払出口３９から払い出されるメダル払出処理を実行する」ことは、
本願発明における「遊技価値を付与する」ことに相当する。
　したがって、刊行物発明における「払出制御手段１１０」は、本願発明における「遊技価値付与手段」に相当する。
　
　　（ｊ’）刊行物発明における「当選役グループ「左ベル」「中ベル」「右ベル」」は、本願発明における「所定の当選役」に相当するから、刊行物発明における「当選役グループ「左ベル」「中ベル」「右ベル」のいずれかに当選したとき」は、本願発明における「当選役決定手段により所定の当選役が決定された場合」に相当する。
　そして、刊行物発明における「当選役グループの種類に応じた操作態様（それぞれ左ストップスイッチ２１Ｌ，中ストップスイッチ２１Ｍ，右ストップスイッチ２１Ｒを操作する順番）を報知するＡＴ遊技を実行する」ことは、本願発明における「当該所定の当選役に対応する所定の図柄の組み合わせを表示するための情報が報知される特定状態の制御を行う」ことに相当する。
　したがって、刊行物発明における構成ｊ’の「メイン制御部」は、本願発明における構成Ｊ’の「特定状態制御手段」に相当する。
　
　　（ｋ’）刊行物発明における「予め設定された複数の遊技状態のうちのいずれかの遊技状態においてスロットマシン１の遊技を制御する」ことは、本願発明における「遊技に係る制御を行う」ことに相当する。
　したがって、刊行物発明における構成ｋ’の「遊技制御手段１００」は、本願発明における構成Ｋ’の「メイン制御手段」に相当する。
　
　　（ｌ’）刊行物発明における「メイン制御基板６３の動作や状態に応じた演出を行う」ことは、本願発明における「演出に係る制御を行う」ことに相当する。
　したがって、刊行物発明における構成ｌ’の「サブ制御基板７３」は、本願発明における構成Ｌ’の「サブ制御手段」に相当する。
　
　　（ｍ’）刊行物発明における「メイン制御部に接続され」ることは、メイン制御部により、三桁の７セグメント表示器における「それぞれ左ストップスイッチ２１Ｌ，中ストップスイッチ２１Ｍ，右ストップスイッチ２１Ｒを操作する順番」の報知が行われることであるから、本願発明における「メイン制御手段により制御が行われ」ることに相当する。
　そして、刊行物発明における「それぞれ左ストップスイッチ２１Ｌ，中ストップスイッチ２１Ｍ，右ストップスイッチ２１Ｒを操作する順番」は、本願発明における「当選役決定手段により決定された当選役に係る情報」に相当することから、刊行物発明における「それぞれ左ストップスイッチ２１Ｌ，中ストップスイッチ２１Ｍ，右ストップスイッチ２１Ｒを操作する順番を報知する」ことは、本願発明における「当選役決定手段により決定された当選役に係る情報を表示する」ことに相当する。
　したがって、刊行物発明における構成ｍ’の「三桁の７セグメント表示器」は、本願発明における構成Ｍ’の「表示手段」に相当する。
　
　　（ｎ’）刊行物発明における「サブ制御基板７３が具備する表示制御手段１１５」により「表示する」ことは、サブ制御基板７３により表示制御が行われることであるから、本願発明における「サブ制御手段により制御が行われ」ることに相当する。
　そして、刊行物発明における「動画（画像）を表示する」ことは、本願発明における「演出を実行する」ことに相当する。
　したがって、刊行物発明における構成ｎ’の「液晶表示器２７」は、本願発明における構成Ｎ’の「演出手段」に相当する。
　
　　（ｏ’、ｏ１’）刊行物発明における「ＡＴ遊技において」は、本願発明における「少なくとも特定状態制御手段により特定状態の制御が行われている場合」に相当する。
　そして、刊行物発明における「当選役グループ「左ベル」「中ベル」「右ベル」のいずれかに当選したとき」は、本願発明における「当選役決定手段により所定の当選役が決定された場合」に相当する。
　また、刊行物発明における「スタートスイッチ１９が操作された後であ」ることと、本願発明における「開始操作検出手段により開始操作が検出された後であって、リール回転制御手段の制御により、複数のリールが回転を開始する前に」とは、「開始操作検出手段により開始操作が検出された後で」ある点で共通する。
　また、刊行物発明における「当選役グループの種類に応じた操作態様（それぞれ左ストップスイッチ２１Ｌ，中ストップスイッチ２１Ｍ，右ストップスイッチ２１Ｒを操作する順番）」は、本願発明における「所定の当選役に係る情報」に相当する。
　さらに、刊行物発明における「当選役グループの種類に応じた操作態様（それぞれ左ストップスイッチ２１Ｌ，中ストップスイッチ２１Ｍ，右ストップスイッチ２１Ｒを操作する順番）」は、構成ｍ’によると、「三桁の７セグメント表示器」に報知されるものである。
　したがって、刊行物発明における構成ｏ’、ｏ１’と、本願発明における構成Ｏ’、Ｏ１’とは、「メイン制御手段は、少なくとも特定状態制御手段により特定状態の制御が行われている場合において、当選役決定手段により所定の当選役が決定された場合には、開始操作検出手段により開始操作が検出された後に、所定の当選役に係る情報を表示手段に表示する制御を行」う点で共通する。
　
　　（ｏ’、ｏ２’）刊行物発明における「中段チェリー」は、当選役グループ（「左ベル」「中ベル」「右ベル」）とは異なる当選役であるから、本願発明における「所定の当選役とは異なる当選役であ」ることに相当する。
　そして、刊行物発明における「規定数（３枚）のメダルが投入され、入賞により２枚の払出がなされる「中段チェリー」」は、本願発明における「単位遊技に必要な遊技価値の数を超えない数の遊技価値が遊技価値付与手段により付与される特定の当選役」に相当する。
　また、刊行物発明における「当選役グループではないため、ＡＴ期間中に当選しても操作順序を報知する演出が実行され」ないことは、本願発明における「特定の当選役が決定された場合には、当該特定の当選役に係る情報を表示手段に表示する制御を行わ」ないことに相当する。
　したがって、刊行物発明における構成ｏ’、ｏ２’は、本願発明における構成Ｏ’、Ｏ２’に相当する。
　
　　（ｐ’）刊行物発明において、「演出内容決定手段１１４」は、「サブ制御コマンド受信手段１１３により受信されたコマンドに応じて」演出内容を決定するものであることから、本願発明における「サブ制御手段」に相当する。
　そして、刊行物発明における「役抽選手段１０３の役抽選結果などに対応して予め設定された演出パターンから」「決定」された「液晶表示器２７に表示される動画」は、本願発明における「特定の当選役が決定された場合に」「演出手段の制御を行うことにより」「実行」される「演出」に相当する。
　したがって、刊行物発明における構成ｐ’は、本願発明における構成Ｐ’に相当する。
　
　上記（ａ’）〜（ｍ’）より、本願発明と引用発明とは、
「Ａ’複数の図柄が周面に配された複数のリールと、
Ｂ’遊技者による遊技価値の投入操作を検出する投入操作検出手段と、
Ｃ’前記投入操作検出手段により、単位遊技に必要な前記遊技価値の投入操作が検出されているときに、遊技者による開始操作を検出する開始操作検出手段と、
Ｄ’前記開始操作検出手段により前記開始操作が検出されたことに基づいて、当選役を決定する当選役決定手段と、
Ｅ’前記開始操作検出手段により、前記開始操作が検出されたことに基づいて、前記複数のリールを回転する制御を行うリール回転制御手段と、
Ｆ’前記複数のリールそれぞれに対応して設けられ、遊技者による停止操作を検出する停止操作検出手段と、
Ｇ’前記停止操作検出手段により前記停止操作が検出されたことと、前記当選役決定手段により決定された前記当選役に基づいて、前記リール回転制御手段により回転されている前記リールを停止させる停止制御手段と、
Ｈ’前記停止制御手段により前記複数のリールが全て停止した結果、予め定められた図柄の組み合わせが表示されたか否かを判定する判定手段と、
Ｉ’前記判定手段により前記予め定められた図柄の組み合わせが表示されたと判定されたことに基づいて、遊技価値を付与する遊技価値付与手段と、
Ｊ’前記当選役決定手段により所定の当選役が決定された場合に、当該所定の当選役に対応する所定の図柄の組み合わせを表示するための情報が報知される特定状態の制御を行う特定状態制御手段と、
Ｋ’遊技に係る制御を行うメイン制御手段と、
Ｌ’演出に係る制御を行うサブ制御手段と、
Ｍ’前記メイン制御手段により制御が行われ、前記当選役決定手段により決定された当選役に係る情報を表示する表示手段と、
Ｎ’前記サブ制御手段により制御が行われ、前記演出を実行する際に用いられる演出手段と、
　を備え、
Ｏ’前記メイン制御手段は、
（Ｏ１’）少なくとも前記特定状態制御手段により前記特定状態の制御が行われている場合において、前記当選役決定手段により前記所定の当選役が決定された場合には、前記開始操作検出手段により前記開始操作が検出された後に、前記所定の当選役に係る情報を前記表示手段に表示する制御を行い、
Ｏ２’前記所定の当選役とは異なる当選役であって、前記単位遊技に必要な前記遊技価値の数を超えない数の遊技価値が前記遊技価値付与手段により付与される特定の当選役が決定された場合には、当該特定の当選役に係る情報を前記表示手段に表示する制御を行わず、
Ｐ’前記サブ制御手段は、
　前記特定の当選役が決定された場合には、前記演出手段の制御を行うことにより前記演出を実行する制御を行う、
　遊技機。」
である点で一致し、次の点で相違する。
　
　［相違点］（構成Ｏ１’に関して）
　所定の当選役に係る情報を表示手段に表示する制御を行うタイミングに関し、
　本願発明は、開始操作検出手段により開始操作が検出された後であって、リール回転制御手段の制御により、複数のリールが回転を開始する前であるのに対して、
　刊行物発明は、開始操作検出手段により開始操作が検出された後であるが、複数のリールが回転を開始する前であるか否か明らかでない点。
　
　４　判断
　上記相違点について検討する。
　スロットマシンの技術分野において、押し順報知を行うタイミングを開始操作後であってリール回転開始前とすることは、本願出願前に周知の技術事項である（特開２００４−４１５２０号公報の【００３６】、【００４８】、【００４９】、【図１３】、特開２００４−３５０８９６号公報の【０１２１】、【０１２２】、【０１２９】、【図１２】、特開２００５−１１０７７１号公報の【００６３】、【００６４】、【図６】）。
　したがって、刊行物発明において、所定の当選役に係る情報を表示手段に表示する制御を行うタイミングを、上記周知の技術事項に倣って、開始操作検出手段により開始操作が検出された後であることに加え、リール回転制御手段の制御により、複数のリールが回転を開始する前とすることは、当業者が適宜なし得たものである。
　そして、刊行物発明に上記周知の技術事項を適用したものは、請求人が平成２８年４月２０日付け意見書において主張する「特定状態において所定の当選役が決定された場合には、スタートレバーの操作後、速やかに所定の当選役に係る情報（停止ボタンを操作する操作順序）を表示手段に表示することができ、遊技者にいち早く所定の当選役に係る情報（停止ボタンを操作する操作順序）を把握させることができます。」（第３頁第２０〜２３行）という効果を奏することは、当業者にとって明らかであり、当該効果は格別のものではない。
　よって、本願発明は、刊行物発明に周知の技術事項を適用することにより当業者が容易になし得たものである。
　
　５　むすび
　以上のとおりであるから、本願発明は、特許法第２９条第２項の規定により特許を受けることができない。
　
　したがって、本願は、拒絶されるべきものである。 
　
　よって、結論のとおり審決する。